(57)【要約】【課題】  棚板の間隔を広狭変更可能な物品管理棚等に適用することができる物品管理システムを提供することを目的とする。【解決手段】  ＩＣタグを備えた物品を収納する物品管理棚１１と、この物品管理棚１１に装備されてＩＣタグとの間で通信を行うリーダライタ用アンテナを備えた物品管理システムにおいて、リーダライタ用アンテナを形成した平面板４１を、物品管理棚１１の背面板１４に対してマグネット４２によって、着脱自在に構成した。【選択図】  図５
2006199378.tif 000002
【特許請求の範囲】
【請求項１】
ＩＣタグを備えた物品を収納する物品管理棚と、該物品管理棚に装備されて前記ＩＣタグとの間で通信を行うリーダライタ用アンテナを備えた物品管理システムにおいて、
前記リーダライタ用アンテナを形成した平面板を、前記物品管理棚の背面板に対して、着脱部によって、着脱自在に構成したことを特徴とする物品管理システム。
【請求項２】
前記着脱部はマグネットにより構成されていることを特徴とする請求項１に記載の物品管理システム。
【請求項３】
前記物品管理棚は、前記物品を載置する棚板を並列状態で複数段備えており、
前記平面板は前記物品管理棚に前記棚板が最小間隔で取り付けられている場合に、前記棚板間の間隔内に納まる形状、寸法を有していることを特徴とする請求項１又は請求項２に記載の物品管理システム。
【請求項４】
前記リーダライタ用アンテナは、
複数のループアンテナを連鎖状に配列すると共に、隣接し合う各ループアンテナの対向し合う線状エレメント間に、各線状エレメント同志を立体的且つＸ字状に絶縁交差させた交差連結部により構成されるアンテナ部が設けられていることを特徴とする請求項１乃至請求項３のいずれか一項に記載の物品管理システム。
【請求項５】
前記アンテナ部を複数備え、前記複数のアンテナ部の前記交差連結部を互いに重ならないように立体的にずらして配置したことを特徴とする請求項４に記載の物品管理システム。
【請求項６】
連鎖方向に対する前記ループアンテナの長さと前記交差連結部の長さとの比を略２：１に設定し、前記アンテナ部の電波放射面に対して直交方向に配置されている前記ＩＣタグの読み取り範囲を広くしたことを特徴とする請求項４又は請求項５に記載の物品管理システム。
【請求項７】
前記交差連結部を複数形成することで、前記アンテナ部の電波放射面に対して直交方向に配置されている前記ＩＣタグの読み取り範囲を広くしたことを特徴とする請求項４乃至請求項６のいずれか一項に記載の物品管理システム。
【発明の詳細な説明】
【技術分野】
【０００１】
本発明は、非接触型のＩＣタグとの間でデータの授受を行うリーダライタ用のアンテナが形成された物品管理システムに関する。
【背景技術】
【０００２】
ＩＣタグとリーダライタを用い、無線通信により物品の管理を行う物品管理システムは、ＩＣタグとリーダライタとの間を非接触に保ちながらも物品に関する情報を送受することができるため、いわゆるバーコードによる管理に比べて、物品の管理を簡単に行うことができるため、種々の物品管理システムに適用されている。
特許文献１には、図書館などに適用して好適な物品管理棚として、物品に取り付けられたＩＣカードと無線通信を行うリーダライタのアンテナ部が物品を収納するための複数の棚に、それぞれ組み込まれた物品管理棚において、アンテナ部は隣接する棚で互いに磁束を相殺するよう異なる形状とされ、例えば３段の棚板を有する場合、一段目の棚板に配置されるループアンテナをワンループアンテナとし、二段目の棚板に配置されるループアンテナをツーループアンテナとし、三段目の棚板に配置されるループアンテナをフォーループアンテナにしたものが開示されている。
【特許文献１】特開２００２−０２９１７公報
【発明の開示】
【発明が解決しようとする課題】
【０００３】
ところで、上記したような物品管理棚の棚板にループアンテナを形成した場合は、物品に取り付けるＩＣタグの向きによっては管理棚に取り付けたループアンテナによりＩＣタグの情報を読み取ることができない場合がある。これを図８により説明する。
図８はループアンテナの磁界とＩＣタグの配置関係を示した図であり、図８（ａ）（ｂ）に示すように、ある平面５０上にループアンテナ５１を形成した場合、ループアンテナ５１の電磁界の向きは平面５０と交差する方向となる。このため、図８（ａ）に示すようにループアンテナ５１を形成した平面５０に対して水平にＩＣタグ６０を配置した場合は、ＩＣタグ６０がループアンテナ５１の磁界と交差するため、このループアンテナ５１が接続されているリーダライタにおいてＩＣタグ６０の情報を読み取ることができる。
一方、図８（ｂ）に示すようにループアンテナ５１を形成した平面５０に対して直交するようにＩＣタグ６０を配置した場合は、ＩＣタグ６０がループアンテナ５１の磁界と平行になるため、リーダライタにおいてＩＣタグ６０の情報を読み取ることができなくなる。
このため、例えば管理棚に収容したファイルなどを収納するためホルダの背面にＩＣタグが取り付けられている場合は、ＩＣタグとループアンテナが平行になるようにループアンテナを管理棚の背面板に取り付けるようにしていた。しかし、書籍等のようにループアンテナを形成した管理棚の背面板と平行な面を有していない物品を収納する場合には、物品に付されたＩＣタグがループアンテナと直交した姿勢になりＩＣタグの情報を読み取ることが困難になる。このため、このような場合にはループアンテナの取り付け場所を変更するといった管理棚の改造が必要になるという欠点があった。
このため、本出願人は物品に取り付けたＩＣタグの向きに関わらず、ＩＣタグの情報を読み取ることができるリーダライタ用アンテナと、そのようなリーダライタ用アンテナを用いた物品管理システムに関する技術を提案している（特願２００４−２０３７６８）。
しかしながら、本出願人が先に提案した物品管理システムにあっては、ＩＣタグの記録情報を読み取ることができるリーダライタ用アンテナが形成され、しかも物品を載置する棚板間の間隔が確定している専用の物品管理棚の存在を前提としたため、棚板間の間隔が上記専用の管理棚とは異なっていたり、或いは前記棚板の間隔が広狭変更可能なタイプの物品管理棚には適用することはできなかった。
本発明は上記問題点に鑑みてなされたものであり、棚板の間隔を広狭変更可能な物品管理棚等に適用することができる物品管理システムを提供することを目的とする。
【課題を解決するための手段】
【０００４】
上記目的を達成するため、請求項１記載の発明は、ＩＣタグを備えた物品を収納する物品管理棚と、該物品管理棚に装備されて前記ＩＣタグとの間で通信を行うリーダライタ用アンテナを備えた物品管理システムにおいて、前記リーダライタ用アンテナを形成した平面板を、前記物品管理棚の背面板に対して、着脱部によって、着脱自在に構成した物品管理システムを特徴とする。
請求項２記載の発明は、前記着脱部はマグネットにより構成されている請求項１に記載の物品管理システムを特徴とする。
請求項３記載の発明は、前記物品管理棚が物品を載置する棚板を並列状態で複数段備えており、前記平面板は前記物品管理棚に前記棚板が最小間隔で取り付けられている場合に、前記棚板間の間隔内に納まる形状、寸法を有している請求項１又は請求項２に記載の物品管理システムを特徴とする。
請求項４記載の発明は、前記リーダライタ用アンテナは、複数のループアンテナを連鎖状に配列すると共に、隣接し合う各ループアンテナの対向し合う線状エレメント間に、各線状エレメント同士を立体的且つＸ字状に絶縁交差させた交差連結部により構成されるアンテナ部が設けられている請求項１乃至請求項３のいずれか一項に記載の物品管理システムを特徴とする。
請求項５記載の発明は、前記アンテナ部を複数備え、前記複数のアンテナ部の前記交差連結部を互いに重ならないように立体的にずらして配置した請求項４に記載の物品管理システムを特徴とする。
請求項６記載の発明は、連鎖方向に対する前記ループアンテナの長さと前記交差連結部の長さとの比を略２：１に設定し、前記アンテナ部の電波放射面に対して直交方向に配置されている前記ＩＣタグの読み取り範囲を広くした請求項４又は請求項５に記載の物品管理システムを特徴とする。
請求項７記載の発明は、前記交差連結部を複数形成することで、前記アンテナ部の電波放射面に対して直交方向に配置されている前記ＩＣタグの読み取り範囲を広くした請求項４乃至請求項６のいずれか一項に記載の物品管理システムを特徴とする。
【発明の効果】
【０００５】
本発明によれば、ＩＣタグとの間で通信を行うリーダライタ用アンテナを形成した平面板に着脱部を備えたことで、ＩＣタグを取り付けた物品の管理を行う物品管理システムの物品管理棚の背面板にリーダライタ用アンテナを簡単に着脱することができる。これにより、例えば棚板の間隔が種々変更可能な物品管理棚等を利用してＩＣタグを利用した物品管理システムを容易に構築することができる。
また、本発明においては、リーダライタ用アンテナがループアンテナを連鎖状に配列して構成されるアンテナ部を複数備え、これらのアンテナ部を同一平面上で、且つ、連鎖方向にずらして配置したことで、ＩＣタグの向きに関わらず情報を読み取ることができる。
【発明を実施するための最良の形態】
【０００６】
以下、本発明の実施の形態について説明する。
図１は本実施形態の物品管理システムに備えられる平面板の構造を示した図であり、（ａ）は正面図、（ｂ）は（ａ）に示す矢示Ａ方向からの断面図である。
この図１（ａ）（ｂ）に示す本実施形態の平面板４１は、例えば樹脂などの非金属により形成され、その表面又は内部に後述するようなリーダライタ用アンテナが形成されている。
このような平面板４１は、後述する物品管理棚（金属製）の背面板に着脱できるように、（ｂ）に示すように平面板４１の背面側に着脱部４２としてマグネットが取り付けられている。なお、着脱部４２は平面板４１を物品管理棚の背面板に装着できればよく、例えば吸着板等を利用して構成することも可能である。
また平面板４１は、物品管理棚が物品を載置する棚板を並列状態で複数段備え、物品管理棚に棚板が最小間隔で取り付けられている場合において棚板間の間隔内に納まる形状、寸法に形成されている。
なお、平面板４１のＸ方向に形成されている凹部４３は平面板４１の強度を確保するために形成されている。
このように構成される本実施形態の平面板４１では、その背面側に物品管理棚の背面板に着脱するための着脱部４２を備えたことで、ＩＣタグを取り付けた物品の管理を行う物品管理システムの物品管理棚の背面板に対して簡単に取り付けることができる。これにより、例えば従来は適応することが困難であった棚板の間隔が変更可能なタイプの物品管理棚を用いて物品管理システムを構築することができるようになる。
また本実施の形態の平面板４１は、物品管理棚に棚板が最小間隔で取り付けられている場合においても、棚板間の間隔内に納まる形状、寸法に形成したことで、物品管理棚の管理者が物品棚の高さを任意に調節した場合でも、確実に平面板４１を物品管理棚の背面板に装着することができる。
さらに本実施の形態においては、平面板４１に形成するリーダライタ用アンテナを以下のように構成することで物品に取り付けたＩＣタグから確実に情報を読み取ることができるようにしている。
【０００７】
図２〜図４を参照して、平面板に形成されるリーダライタ用アンテナの構成について説明する。
図２は本実施形態の平面板に形成されるリーダライタ用アンテナの基本構成を示した図である。この図２（ａ）（ｂ）に示すアンテナ部９ａは、金属などからなる背面板１４の面上に絶縁された状態で４つのループアンテナ１８ａ、１８ｂ、１８ｃ、１８ｄが連なって形成されている。ループアンテナ１８ａと１８ｂの交差部１９ａ、ループアンテナ１８ｂと１８ｃの交差部１９ｂ、及びループアンテナ１８ｃと１８ｄの交差部１９ｃは、それぞれ立体的に交差するように形成され、隣接し合うループアンテナ１８ａと１８ｂの対向する線状のエレメント１６ａと１７ｂ同士、及びエレメント１６ｂと１７ａ同士が夫々交差連結部１９ａによって電気的に接続されている。即ち、平行に対向し合う各エレメント１６ａと１７ｂ及び１６ｂと１７ａの中間部適所に設けた交差連結部１９ａは、線状のエレメントをＸ字状に交差させると共に交差部では互いに電気的に絶縁するように構成されている。
同様に、隣接し合うループアンテナ１８ｂと１８ｃの対向するエレメント同士は交差連結部１９ｂによって電気的に接続され、ループアンテナ１８ｃと１８ｄの対向するエレメント同士は交差連結部１９ｃによって電気的に接続されている。即ち、平行に対向し合う各エレメントの中間部適所に設けた交差連結部は、線状のエレメントをＸ字状に交差させると共に交差部では互いに電気的に絶縁するように構成されている。
【０００８】
このようにアンテナ部９ａを形成した場合は、隣り合うループアンテナ同士により図示するような磁界を形成することになる。したがって、このようなアンテナ部９ａをリーダライタ１００に適用すれば、例えば図２（ａ）に示すようにＩＣタグ３１がアンテナ部９ａと直交するように配置されている場合においてもＩＣタグ３１から情報を読み取ることができるようになる。ただし、ＩＣタグ３１が、例えば交差連結部１９ｂの上方位置（ＩＣタグ３１ａと示した位置）に存在する場合はＩＣタグから情報を読み取ることができるものの、ＩＣタグ３１がループアンテナ部１８ｂの上方位置（ＩＣタグ３１ｂと示した位置）に存在する場合はＩＣタグから情報を読み取ることができない。
もちろん図２（ｂ）に示すように、ＩＣタグ３１がアンテナ部９ａと平行に配置されている場合においても、ＩＣタグ３１から情報を読み取ることができるが、ＩＣタグ３１がループアンテナ部１８ｂの上方位置（ＩＣタグ３１ｃと示した位置）に存在する場合はＩＣタグから情報を読み取ることができるものの、ＩＣタグ３１が交差連結部１９ｂの上方位置（ＩＣタグ３１ｄと示した位置）に存在する場合はＩＣタグから情報を読み取ることができなくなる。
そこで、本実施の形態のリーダライタ用アンテナ９においては、上記図２に示したようなＩＣタグ３１から情報を読み取ることができない領域が発生しないように、上記図２に示したようなアンテナ部９ａを複数枚（例えば２枚）用意して、同一平面上に絶縁した状態で重ね、さらに連鎖方向にアンテナ部９ａをずらしてアンテナ部９ａを互い違いに配置することでＩＣタグ３１から情報を読み取ることができない領域が発生しないようにしている。
またこのとき、アンテナ部９ｂの交差連結部１９の長さ（幅）が狭過ぎると、電波放射面（アンテナ面）の直交方向に発生する磁界の幅が狭く、アンテナ部９ａの電波放射面に対して直交するように配置されているＩＣタグ３１から情報を読み取ることができる範囲が狭くなってしまう。
【０００９】
そこで、本実施の形態のリーダライタ用アンテナにおいては、交差連結部１９の幅（長さ）を広くして、アンテナ面に対して直交するように配置されているＩＣタグ３１から情報を読み取ることができる範囲を広くするようにしている。例えばアンテナ部９ａの連鎖方向に対するループアンテナ部１８の長さａと交差連結部１９の長さｂの比を略２：１に設定することで、アンテナ部９ａの電波放射面に対して直交方向に配置されているＩＣタグ３１の読み取り範囲を広くするようにしている。
なお、交差連結部１９の長さは任意に設定可能であり、例えば２枚のアンテナ部９ａ、９ｂをずらして配置したときにアンテナ部９ａ、９ｂのアンテナ面に対して水平、垂直方向に配置されているＩＣタグ３１から最も情報を読み取ることができる幅（長さ）に設定すればよいものである。
また、このような交差連結部１９を複数設けることで、アンテナ面に対して直交方向に配置されているＩＣタグの３１の読み取り可能範囲を増やすようにしている。つまり、本実施の形態のリーダライタ用アンテナは、複数の交差連部１９を設けたうえで、各交差連結部１９の長さ（大きさ）を適正に設定した２枚のアンテナ部９ａ、９ｂの交差連結部１９が重ならないように連鎖方向にずらして配置するようにしている。
図３は上記のように構成されるリーダライタ用アンテナの一構成例を示した図である。この図３に示す例では、アンテナ部９ａとアンテナ部９ｂのアンテナ形状が異なっているが、アンテナ部９ｂは、アンテナ部９ａの交差連結部１９が互い違いになるように連鎖方向にずらして配置したのと同等の機能を有するアンテナをアンテナ部９ａと同一平面サイズで実現したものである。
そして、このようにして形成したリーダライタ用アンテナ９をリーダライタ１００に接続する場合はリーダライタ１００とリーダライタ用アンテナ９との間に切替回路１５を設け、切替回路１５によりリーダライタ用アンテナ９を構成する２つのアンテナ部９ａ、９ｂを交互に切り替ることで、リーダライタ用アンテナ９のアンテナ面に対してＩＣタグ３１が水平、垂直方向の２方向に配置されている場合でもＩＣタグ３１から情報を読み取ることができるようになる。
【００１０】
図４はリーダライタ用アンテナの他の構成例を示した図である。
本実施の形態のようにリーダライタ用アンテナを形成する場合は、各ループアンテナの形状が、図４（ａ）に示すようにクロス点に対して両側のループ面積が等しくなるときに、最も効率がよいアンテナ２０を構成することができる。つまり無駄のない磁束の流れや漏洩電界のキャンセル効果などが最も効率よく得られるアンテナを構成することができる。したがって、図４（ａ）に示すアンテナ２０を図４（ｂ）に示すように組み合わせることで、図４（ｃ）に示すようなリーダライタ用アンテナを形成することができる。なお、この場合の各ループアンテナの長さｘは任意に設定することが可能である。また、リーダライタ用アンテナを形成するにあたって組み合わせるループアンテナの数も任意に設定することが可能である。なお、本実施形態では、クロス点に対して両側のループ面積が等しくなるようにループアンテナを形成する場合を例に挙げたが、これはあくまでも一例であり、その形状は用途によって任意に変更可能である。
このようなリーダライタ用アンテナを平面板４１に形成すれば、ＩＣタグの向きに関わらず情報を読み取ることができる。
なお、本実施の形態ではリーダライタ用アンテナ９として２つのアンテナ部９ａ、９ｂの交差連結部１９が重ならないようにずらして配置するものとして説明したが、３枚以上のアンテナ部をずらして配置することももちろん可能である。その場合にも３枚以上のアンテナ部の交差連結部が重ならないように立体的にずらして配置すればよい。
また、アンテナ部９ａは必ずしも複数設ける必要はなく、水平、垂直方向の２方向に配置されているＩＣタグ３１から情報を読み取ることができれば、１つのアンテナ部９ａによりリーダライタ用アンテナ１０を構成することも可能である。
また、各線状エレメント同士を立体的且つＸ字状に絶縁交差させた交差連結部とは、厳密な意味のＸ字状であることを意味せず、対向し合う線状エレメント同士の一部が交差している構成を全て含むものである。
【００１１】
図５は本実施形態の物品管理システム全体の構成を示した図である。
この図５（ａ）に示す物品管理システム１０は、物品管理棚（什器）１１と、ＩＣタグに対して管理情報の読み書きを行うリーダライタ１００と、このリーダライタ１００を制御するＰＣ（制御手段）５０とから構成され、この物品管理棚１１の背面板１４に、例えばホルダの背面に貼付されたＩＣタグ（図示しない）の管理情報を読み書きするためのリーダライタ用アンテナ（図示しない）を形成した平面板４１を取り付けるようにしている。平面板４１は、図５（ｂ）に示すように背面側に設けられているマグネット４２によって物品管理棚１１の背面板１４に装着される。リーダライタ１００は各平面板４１内のリーダライタ用アンテナとケーブル１２を介して接続されている。
切替回路（アンテナ切替手段）１５は、ＰＣ５０又はリーダライタ１００の制御により、物品管理棚１１の背面板１４に装着されている何れかの平面板４１に切り替えるようにしている。また切替回路１５は、各平面板４１にリーダライタ用アンテナとして例えば２つのアンテナ部が形成されている場合は（図２参照）、同じくＰＣ５０又はリーダライタ１００の制御により、各アンテナ部の切り替え制御等も行うようにしている。
物品管理棚１１には、その内部の収納部を上下に分割するための複数の棚板１３が設けられている。これら複数の棚板の内、下段に位置する２枚の棚板１３ａ、１３ｂは収納部を細かく仕切るために、その高さ方向が最小間隔となるように取り付けられている。このように物品管理棚１１に棚板１３を配置した場合でも、本実施の形態の平面板４１は物品管理棚１１の背面板１４に装着できる形状及び寸法に形成しているため、つまり、平面板４１の幅（高さ方向）を物品管理棚１１に取り付けることができる棚板の最小間隔より小さく形成しているため、物品管理棚１１の背面板１４に平面板４１を確実に取り付けることができる。
また上段に位置する棚板１３ｃのように、物品管理棚１１の収納部の仕切り間隔を広げるように棚板を取り付けた場合は、背面板１４の全面に平面板４１が配置されないが、物品に取り付けられるＩＣタグは通常、物品の下側に取り付けられるので平面板４１により背面板１４のほぼ全面を覆わなくても物品に取り付けたＩＣタグの情報を確実に読み取ることが可能である。
なお、図５に示した物品管理棚１１の構成はあくまでも一例であり、棚板の枚数などは任意に設定可能である。
【００１２】
図６は上記した物品管理システムに用いられるリーダライタと非接触型ＩＣタグの基本的な構成及びその動作について説明しておく。
図６は、ＩＣタグ用リーダライタの構成を示すブロック図である。この図６に示すＩＣタグ用リーダライタ１００は、外部にあるリーダライタ１００に対してデータの授受を行ってシステム全体を制御するコンピュータ（ＰＣ）５０によって制御される。リーダライタ１００は、外部のコンピュータ５０とのデータの通信プロトコルを司る送受信装置１と、リーダライタ１００全体の動作を制御する制御装置２と、制御装置２を動作させる手順を記録したファームウェアと読み取ったデータを格納するメモリ装置３と、制御装置２からのデータを搬送波に乗せて変調する変調器４と、操作コマンドを入力する入力装置５と、制御装置２により制御された情報を表示する表示装置６と、変調器４からのコマンドを電力増幅する電力増幅器７と、ループアンテナ９から受信した搬送波から２値化データに変換する検波復調器８と、図示しないＩＣタグとの電力用搬送波とデータの授受をするループアンテナ９とを備えて構成されている。
【００１３】
次に本構成によるリーダライタ１００の動作を説明する前に、対を成すＩＣタグの構成を説明しておく。図７は、ＩＣタグの構成を示すブロック図である。ＩＣタグ２００は、リーダライタ１００からの電力用搬送波によりデータの授受をするループアンテナ２０と、書き込みコマンド読み出しコマンドを生成する送受信回路２１と、ループアンテナ２０からの電力用搬送波を受け、それを整流して直流電力に変換する電力生成回路２２と、制御用ファームウェアとデータの記憶を司るメモリ装置２３と、制御回路２６からの送信コマンドに搬送波を乗せて変調する変調器２４と、送受信回路２１からの搬送波データから２値化データに変換する検波器２５と、ＩＣタグ２００の全体の動作を制御する制御回路２６から構成されている。なお、変調方式としては、ＡＳＫ（Amplitude Shift Keying）の他にＰＳＫ（Phase Shift Keying）方式、ＦＳＫ（Frequency Shift Keying）方式などがある。
次に、図６と図７を併せて参照してそれぞれ単独の動作について説明する。リーダライタ１００は、図示しない電源が入れられると制御装置２のイニシャル動作後、メモリ装置３に記憶されたプログラムに従い動作を開始する。まず、初期化が行われる。次に、制御装置２は、ＩＣタグ２００に電力を供給するためにコマンド送信時は変調器４で変調を行い、ＩＣタグ２０からのレスポンス受信時は無変調とした信号を電力増幅器７から送信する。その信号は、ループアンテナ９から電磁波として外部に放射される。
次に、ＩＣタグ２００がリーダライタ１００に近接すると、ループアンテナ２０が電力供給用信号を受信し、電力生成回路２２によりその搬送波を整流して直流電力に変換して、タグ内の全ての回路に供給する。電力を供給されて制御回路２６が駆動すると、メモリ装置２３に格納されたプログラムに従って制御を開始する。
次に、制御回路２６は、まず送受信回路２１からコマンドを検波器２５で復調して２値化信号に変換し、そのコマンドを解析する。その結果自分が呼び出されていることを認識すると、レスポンスを変調器２４により変調して送受信回路２１を介してループアンテナ２０から送信する。このレスポンスをリーダライタ１００がループアンテナ９で受信して、検波復調器８で２値化コードに変換し、制御回路２により解析してＩＣタグ２００が規格に合致したタグであると認識する。それにより、以後リーダライタ１００とＩＣタグ２００との間でデータの授受が行われることになる。
【図面の簡単な説明】
【００１４】
【図１】本発明の実施形態の物品管理システムに備えられる平面板の構造を示した図であり、（ａ）は正面図、（ｂ）は（ａ）に示す矢示Ａ方向からの断面図である。
【図２】平面板に形成されるリーダライタ用アンテナの基本構成を示した図である。
【図３】リーダライタ用アンテナの一構成例を示した図である。
【図４】リーダライタ用アンテナの他の構成例を示した図である。
【図５】本実施形態の物品管理システムの構成を示した図である。
【図６】ＩＣタグ用リーダライタの構成を示したブロック図である。
【図７】ＩＣタグの構成を示すブロック図である。
【図８】ループアンテナの磁界とＩＣタグの配置関係を示した図である。
【符号の説明】
【００１５】
１  送受信装置、２  制御装置、３  メモリ装置、４  変調器、５  入力装置、６  表示装置、７  電力増幅器、８  検波復調器、９  リーダライタ用アンテナ、１０  物品管理システム、１１  物品管理棚（什器）、１２  ケーブル、１３  棚板、１４  背面板、１５  切替回路、１７  ベース、２１  送受信回路、２２  電力生成回路、２３  メモリ装置、２４  変調器、２５  検波器、２６  制御回路、３０  ホルダ、３１  ＩＣタグ、４１  平面板、４２  着脱部、５０  ＰＣ（制御手段）、１００  リーダライタ、２００  ＩＣタグ
【図１】
2006199378.tif 000003
【図２】
2006199378.tif 000004
【図３】
2006199378.tif 000005
【図４】
2006199378.tif 000006
【図５】
2006199378.tif 000007
【図６】
2006199378.tif 000008
【図７】
2006199378.tif 000009
【図８】
2006199378.tif 000010